(57)【特許請求の範囲】
【請求項１】
１の撮像素子と、
光学ファインダーと、
前記１の撮像素子によって被写体を撮像する撮像手段と、
前記１の撮像素子の前面に配置され、レンズを介して入射した光を反射させて前記光学ファインダーに導くミラーと、
前記撮像手段による撮像の際に、前記ミラーを撮影光路外に退避させるミラー制御手段と、
前記撮像手段によって撮像された画像を表示する表示手段と、
前記ミラーによってレンズを介して入射した光が前記光学ファインダーに導かれている際に、合焦領域を示す情報を前記表示手段に表示する第１の表示制御手段と、
を備えたことを特徴とする撮像装置。
【請求項２】
被写体像に重ねて合焦領域を示す情報を前記光学ファインダー上に表示する第２の表示制御手段を更に備え、
前記第２の表示制御手段は、
前記被写体像上の合焦領域に前記合焦領域を示す情報を表示させ、
前記第１の表示制御手段と前記第２の表示制御手段によって表示される合焦領域を示す情報の表示位置は、撮像される画角に対して同じ位置であることを特徴とする請求項１記載の撮像装置。
【請求項３】
前記第１の表示制御手段は、
前記合焦領域を示す情報の表示以外の領域の輝度を、前記合焦領域を示す情報の表示の輝度より下げることを特徴とする請求項１又は２に記載の撮像装置。
【請求項４】
前記第１の表示制御手段は、
前記合焦領域を示す情報の表示の色、色の明るさ、色の濃さのうち少なくとも１つを該合焦領域の合焦評価値の値に応じて変化させることを特徴とする請求項１乃至３の何れかに記載の撮像装置。
【請求項５】
前記第１の表示制御手段は、
前記合焦領域を示す情報を表示する際、該合焦領域の合焦評価値の高い順に順位付けをして、該合焦領域を示す情報を表示させることを特徴とする請求項１乃至４の何れかに記載の撮像装置。
【請求項６】
前記第２の表示制御手段は、
複数のＡＦ枠を表示させるとともに、前記合焦領域となるＡＦ枠を識別表示させ、
前記第１の表示制御手段は、
前記第２の表示制御手段により表示された複数のＡＦ枠に対応するＡＦ枠を表示させるとともに、前記合焦領域となるＡＦ枠を識別表示させることを特徴とする請求項２記載の撮像装置。
【請求項７】
被写体に対してオートフォーカス動作を行うフォーカス制御手段を備え、
前記合焦領域は前記フォーカス制御手段によるオートフォーカス動作によって合焦した領域であることを特徴とする請求項１乃至６の何れかに記載の撮像装置。
【請求項８】
撮影準備を指示するための撮影準備指示手段を備え、
前記フォーカス制御手段は、
前記撮影準備指示手段によって撮影準備が指示されると、オートフォーカス動作を開始することを特徴とする請求項７記載の撮像装置。
【請求項９】
撮影準備を指示するための撮影準備指示手段を備え、
前記第１の表示制御手段は、
前記撮影準備指示手段によって撮影準備が指示されると、前記表示手段の駆動を開始させて、表示を開始させることを特徴とする請求項１乃至８の何れかに記載の撮像装置。
【請求項１０】
撮影を指示するための撮影指示手段を備え、
前記第１の表示制御手段は、
前記撮影指示手段によって撮影が指示されると、前記表示手段の駆動を停止させて、表示を終了させることを特徴とする請求項１乃至９の何れかに記載の撮像装置。
【請求項１１】
前記光学ファインダーの接眼レンズは、前記表示手段の画面より小さいことを特徴とする請求項１乃至１０の何れかに記載の撮像装置。
【請求項１２】
１の撮像素子と、光学ファインダーと、前記１の撮像素子によって被写体を撮像する撮像手段と、前記１の撮像素子の前面に配置され、レンズを介して入射した光を反射させて前記光学ファインダーに導くミラーと、前記撮像手段による撮像の際に、前記ミラーを撮影光路外に退避させるミラー制御手段と、前記撮像手段によって撮像された画像を表示する表示手段と、を備えた撮像装置のコンピュータを、
前記ミラーによってレンズを介して入射した光が前記光学ファインダーに導かれている際に、合焦領域を示す情報を前記表示手段に表示する表示制御手段、
として機能させることを特徴とするプログラム。
【発明の詳細な説明】
【技術分野】
【０００１】
本発明は、撮像装置及びそのプログラムに係り、詳しくは、合焦領域を表示することができる撮像装置及びそのプログラムに関する。
【背景技術】
【０００２】
撮像装置、たとえば、デジタル一眼レフカメラにおいては、光学ファインダー上に被写体像に重ねて合焦ポイントを表示させるという技術がある（特許文献１）。
【０００３】
【特許文献１】公開特許公報  特開２００６−３１７７１３
【発明の開示】
【発明が解決しようとする課題】
【０００４】
しかしながら、上記特許文献１の技術では、光学ファインダー上に合焦ポイントを表示させると、合焦ポイントを示す表示と、被写体像とが同色、同形等の場合、どこが合焦ポイントであるか分かりづらいという問題がある。
【０００５】
そこで本発明は、かかる従来の問題点に鑑みてなされたものであり、合焦領域の分かりやすさを向上させる撮像装置及びそのプログラムを提供することを目的とする。
【課題を解決するための手段】
【０００６】
上記目的達成のため、請求項１記載の発明による撮像装置は、１の撮像素子と、光学ファインダーと、前記１の撮像素子によって被写体を撮像する撮像手段と、前記１の撮像素子の前面に配置され、レンズを介して入射した光を反射させて前記光学ファインダーに導くミラーと、前記撮像手段による撮像の際に、前記ミラーを撮影光路外に退避させるミラー制御手段と、前記撮像手段によって撮像された画像を表示する表示手段と、前記ミラーによってレンズを介して入射した光が前記光学ファインダーに導かれている際に、合焦領域を示す情報を前記表示手段に表示する第１の表示制御手段と、を備えたことを特徴とする。
【０００７】
また、例えば、請求項２に記載されているように、被写体像に重ねて合焦領域を示す情報を前記光学ファインダー上に表示する第２の表示制御手段を更に備え、前記第２の表示制御手段は、前記被写体像上の合焦領域に前記合焦領域を示す情報を表示させ、前記第１の表示制御手段と前記第２の表示制御手段によって表示される合焦領域を示す情報の表示位置は、撮像される画角に対して同じ位置であるようにしてもよい。
【０００８】
また、例えば、請求項３に記載されているように、前記第１の表示制御手段は、前記合焦領域を示す情報の表示以外の領域の輝度を、前記合焦領域を示す情報の表示の輝度より下げるようにしても良い。
【０００９】
また、例えば、請求項４に記載されているように、前記第１の表示制御手段は、前記合焦領域を示す情報の表示の色、色の明るさ、色の濃さのうち少なくとも１つを該合焦領域の合焦評価値の値に応じて変化させるようにしてもよい。
【００１０】
また、例えば、請求項５に記載されているように、前記第１の表示制御手段は、前記合焦領域を示す情報を表示する際、該合焦領域の合焦評価値の高い順に順位付けをして、該合焦領域を示す情報を表示させるようにしてもよい。
【００１１】
また、例えば、請求項６に記載されているように、前記第２の表示制御手段は、複数のＡＦ枠を表示させるとともに、前記合焦領域となるＡＦ枠を識別表示させ、前記第１の表示制御手段は、前記第１の表示制御手段により表示された複数のＡＦ枠に対応するＡＦ枠を表示させるとともに、前記合焦領域となるＡＦ枠を識別表示させるようにしてもよい。
【００１２】
また、例えば、請求項７に記載されているように、撮影準備を指示するための撮影準備指示手段を備え、前記フォーカス制御手段は、前記撮影準備指示手段によって撮影準備が指示されると、オートフォーカス動作を開始するようにしてもよい。
【００１３】
また、例えば、請求項８に記載されているように、被写体に対してオートフォーカス動作を行うフォーカス制御手段を備え、前記合焦領域は前記フォーカス制御手段によるオートフォーカス動作によって合焦した領域であるようにしてもよい。
【００１４】
また、例えば、請求項９に記載されているように、撮影準備を指示するための撮影準備指示手段を備え、前記第１の表示制御手段は、前記撮影準備指示手段によって撮影準備が指示されると、前記表示手段の駆動を開始させて、表示を開始させるようにしてもよい。
【００１５】
また、例えば、請求項１０に記載されているように、撮影を指示するための撮影指示手段を備え、前記第１の表示制御手段は、前記撮影指示手段によって撮影が指示されると、前記表示手段の駆動を停止させて、表示を終了させるようにしてもよい。
【００１６】
また、例えば、請求項１１に記載されているように、前記前記光学ファインダーの接眼レンズは、前記表示手段の画面より小さいようにしてもよい。
【００１９】
上記目的達成のため、請求項１２記載の発明によるプログラムは、１の撮像素子と、光学ファインダーと、前記１の撮像素子によって被写体を撮像する撮像手段と、前記１の撮像素子の前面に配置され、レンズを介して入射した光を反射させて前記光学ファインダーに導くミラーと、前記撮像手段による撮像の際に、前記ミラーを撮影光路外に退避させるミラー制御手段と、前記撮像手段によって撮像された画像を表示する表示手段と、を備えた撮像装置のコンピュータを、前記ミラーによってレンズを介して入射した光が前記光学ファインダーに導かれている際に、合焦領域を示す情報を前記表示手段に表示する表示制御手段、として機能させることを特徴とする。
【発明の効果】
【００２０】
本願発明によれば、合焦領域の分かりやすさを向上させることができる。
【発明を実施するための最良の形態】
【００２１】
以下、本実施の形態について、本発明の撮像装置をデジタル一眼レフカメラに適用した一例として図面を参照して詳細に説明する。
【００２２】
[実施の形態]
Ａ．デジタル一眼レフカメラの構成
図１は、本発明の撮像装置を実現するデジタル一眼レフカメラ１の電気的な概略構成を示すブロック図である。
デジタル一眼レフカメラ１は、カメラ本体２００と、交換レンズとしてのレンズ鏡筒１００とから構成されており、レンズ鏡筒１００は、カメラ本体２００のマウント部（図示略）に着脱自在となっている。このマウント部は電気接点ユニット１０７が設けられており、この電気接点ユニット１０７を介して、カメラ本体２００とレンズ鏡筒１００との通信が可能となる。
【００２３】
レンズ鏡筒１００は、撮影レンズ１０１、レンズ駆動部１０２、レンズ制御部１０３、絞り１０４、絞り駆動部１０５、絞り制御部１０６を備えており、カメラ本体２００は、ハーフミラー２０１、フォーカシングスクリーン２０２、ペンタプリズム２０３、接眼レンズ２０４、反射ミラー２０５、測距センサ２０６、測距回路２０７、ミラー駆動部２０８、ＡＦ枠発光駆動部２０９、シャッタ２１０、ＣＣＤ２１１、ドライバ２１２、ＴＧ（timing generator）２１３、ユニット回路２１４、ＣＰＵ２１５、キー入力部２１６、メモリ２１７、ＤＲＡＭ２１８、フラッシュメモリ２１９、モニター２２０を備えている。
【００２４】
撮影レンズ１０１は、図示しない複数のレンズ群から構成され、フォーカスレンズ１０１Ａを少なくとも有する。そして、フォーカスレンズ１０１Ａにはレンズ駆動部１０２が接続されている。レンズ駆動部１０２は、フォーカスレンズ１０１Ａを光軸方向に沿って駆動させるフォーカスモータ、フォーカスモータを駆動させるフォーカスモータドライバから構成されており（図示略）、レンズ制御部１０３は、電気接点ユニット１０７を介してＣＰＵ２１５から送られてきた信号に応じてレンズ駆動部１０２を制御する。
【００２５】
絞り１０４は、撮影レンズ１０１を介して入射される光の量（開口量）を調節するためものであり、絞り１０４には絞り駆動部１０５が接続されている。この絞り駆動部１０５は、絞り１０４を駆動させるものであり、絞り制御部１０６は、電気接点ユニット１０７を介してＣＰＵ２１５から送られてくる信号に応じて絞り駆動部１０５を制御する。
【００２６】
ミラー駆動部２０８は、ＣＰＵ２１５の制御信号に従って、ハーフミラー２０１を第１の位置及び反射ミラー２０５を第３の位置に移動させたり、ハーフミラー２０１を第２の位置及び反射ミラー２０５を第４の位置に移動させる。ここで、ミラー駆動部２０８は、ハーフミラー２０１が第１の位置に配置されているときに、反射ミラー２０５を第４の位置に配置させることはなく、また、ハーフミラー２０１が第２の位置に配置されているときに、反射ミラー２０５を第３の位置に配置させることはない。つまり、ハーフミラー２０１及び反射ミラー２０５は共に連動して、第１の位置、第３の位置、又は、第２の位置、第４の位置にそれぞれ移動する。
【００２７】
ハーフミラー２０１が第１の位置に配置されているときは、撮影レンズ１０１を介して入射された被写体の光束がハーフミラー２０１に導かれ、ハーフミラー２０１によって反射された光の光束は、フォーカシングスクリーン２０２、ペンタプリズム２０３、及び接眼レンズ２０４を介して撮影者の目に導かれるとともに、ハーフミラー２０１によって透過された光は、反射ミラー２０５を介して、測距センサ２０６に導かれる。このハーフミラー２０１、フォーカシングスクリーン２０２、ペンタプリズム２０３、接眼レンズ２０４が光学ファインダーとして機能する。
【００２８】
ここで、第１の位置とは、撮影光路内の光軸に対して斜めにハーフミラー２０１を配置させる位置であり（図１に示す位置）、第２の位置とは、ハーフミラー２０１を撮影光路外に退避させる位置である。また、第３の位置とは、ハーフミラー２０１が第１の位置に配置されているときに、ハーフミラー２０１によって透過された光を測距センサ２０６に導くような反射ミラー２０５の位置であり（図１に示す位置）、第４の位置とは、反射ミラー２０５を撮影光路外に退避させる位置である。
【００２９】
ここで、フォーカシングスクリーン２０２は、被写体の光束を結像させるためのマットであり、フォーカシングスクリーン２０２は、複数のＡＦ枠が刻印されているとともに、合焦したＡＦ枠が発光するようにできている。たとえば、フォーカシングスクリーン２０２に、ＡＦ枠が発光するように液晶を設け、合焦したＡＦ枠を発光させるようにしてもよい。ここで、この液晶は、複数の色を発光させることが可能なものとする。このＡＦ枠の発光は、ＣＰＵ２１５の制御信号に従って、ＡＦ枠発光駆動部２０９によって行われる。なお、ここでいう色とは、赤や青などの有色を含むと共に、黒や白なども含む。
【００３０】
図２は、撮影者が接眼レンズ２０４を覗いたときに見える被写体像の様子の一例を示すものである。
図２（Ａ）は、ＡＦ処理が行われていないときに見える被写体像の様子を示すものであり、図２（Ｂ）は、ＡＦ処理が行われたときに見える被写体像の様子を示すものである。
【００３１】
図２（Ａ）を見ると、ＡＦ処理が行われていないので、フォーカシングスクリーン２０２に刻印された複数のＡＦ枠１１が単に表示されているのがわかり、ＡＦ処理が行われると、図２（Ｂ）に示すように、合焦したＡＦ枠１１が発光しているのがわかる。ここでは、便宜上、発行したＡＦ枠１１を斜線によって記しているのもとする。
【００３２】
また、測距センサ２０６は一対の受光素子からなり、ハーフミラー２０１によって透過され、反射ミラー２０５を介して入射された光の像が測距センサ２０６の一対の受光素子によって結像され、測距回路２０７は、位相差方式により該測距センサ２０６の一対の受光素子によって結像された像のズレ量を検出して、被写体までの距離を測定する。
【００３３】
ここで、測距センサ２０６は、フォーカシングスクリーン２０２によって刻印されている各ＡＦ枠１１内の被写体の像を結像する一対の受光素子をそれぞれ備えており、測距回路２０７は、各ＡＦ枠１１内の被写体の像を結像する一対の受光素子により結像された像のズレ量をそれぞれ検出して、各ＡＦ枠１１内の被写体までの距離（被写体距離）を測定する。この測定された各ＡＦ枠１１の被写体距離はＣＰＵ２１５に送られる。
【００３４】
また、ハーフミラー２０１の後方には、シャッタ２１０が配置されており、図示しない駆動回路によって駆動する。この駆動回路は、ＣＰＵ２１５の制御信号に従ってシャッタ２１０を駆動させる。また、シャッタ２１０の後方にはＣＣＤ２１１が配置されている。
【００３５】
また、ハーフミラー２０１、反射ミラー２０５は第２の位置、第４の位置にそれぞれ配置されているときは、撮影レンズ１０１を介して入射された被写体の光束がシャッタ２１０に導かれ、シャッタ２１０が開いている状態のときは、撮影レンズ１０１、シャッタ２１０を介して入射されて被写体の光がＣＣＤ２１１に導かれる。
【００３６】
ＣＣＤ２１１はベイヤー配列の色フィルターを有しており、ドライバ２１２によって駆動され、被写体像のＲＧＢ値の各色の光の強さを光電変換して撮像信号としてユニット回路２１４に出力する。このドライバ２１２、ユニット回路２１４の動作タイミングはＴＧ２１３を介してＣＰＵ２１５により制御される。なお、ここでは、撮像素子としてＣＣＤを挙げたが、ＣＭＯＳ等であってもよく、また、色フィルターもベイヤー配列の色フィルターに限られることはなく、また、色フィルターを設けないようにしてもよい。
【００３７】
ユニット回路２１４には、ＴＧ２１３が接続されており、ＣＣＤ２１１から出力される撮像信号を相関二重サンプリングして保持するＣＤＳ（Correlated Double Sampling）回路、そのサンプリング後の撮像信号の自動利得調整を行なうＡＧＣ（Automatic Gain Control）回路、その自動利得調整後のアナログの撮像信号をデジタル信号に変換するＡ／Ｄ変換器から構成されており、ＣＣＤ２１１から出力された撮像信号はユニット回路２１４を経てデジタル信号としてＣＰＵ２１５に送られる。
【００３８】
ＣＰＵ２１５は、ＣＣＤ２１１の撮像処理、ＡＦ処理、ＡＥ処理、ユニット回路から送られてきた画像データに対して画像処理（例えば、γ補正処理、ホワイトバランス処理、輝度色差信号（ＹＵＶデータ）の生成）を行うとともに、撮像された画像データのバッファメモリ（ＤＲＡＭ２１８）への記憶処理、バッファメモリに記憶された画像データのフラッシュメモリ２１９への記録処理を行う機能を有するとともに、デジタル一眼レフカメラ１の各部を制御するワンチップマイコンである。また、ＣＰＵ２１５はクロック回路を含み、タイマーとしての機能も有する。
【００３９】
また、ＣＰＵ２１５は、合焦したＡＦ枠１１の発光制御を行なう機能、モニター２２０の表示を制御する機能を有する。
【００４０】
キー入力部２１６は、半押し全押し可能なシャッタボタン、モード切替キー、十字キー、ＳＥＴキー等の複数の操作キーを含み、撮影者のキー操作に応じた操作信号をＣＰＵ２１５に出力する。
メモリ２１７には、ＣＰＵ２１５がデジタル一眼レフカメラ１の各部を制御するのに必要な制御プログラム、及び必要なデータが記録されており、ＣＰＵ２１５は、該プログラムに従い動作する。なお、このメモリ２１７は書き換え可能な不揮発性メモリである。
【００４１】
ＤＲＡＭ２１８は、ＣＣＤ２１１によって撮像された後、ＣＰＵ２１５に送られてきた画像データを一時記憶するバッファメモリとして使用されるとともに、ＣＰＵ２１５のワーキングメモリとして使用される。
フラッシュメモリ２１９は、圧縮された画像データを保存する記録媒体である。
【００４２】
モニター２２０は、カラーＬＣＤとその駆動回路を含み、撮影待機状態にあるときには、ＣＣＤ２１１によって撮像された被写体をスルー画像として表示し、記録画像の再生時には、フラッシュメモリ２１９から読み出された記録画像を表示させる。なお、モニター２２０の画面は、光学ファインダーから見える画面より大きいものとする。
【００４３】
Ｂ．デジタル一眼レフカメラ１の動作
実施の形態におけるデジタル一眼レフカメラ１の動作を図３のフローチャートに従って説明する。
【００４４】
ユーザのモード切替キーの操作により撮影モードに設定されると、ＣＰＵ２１５は、ミラー駆動部２０８に制御信号を送ることにより、ハーフミラー２０１を第１の位置に、反射ミラー２０５を第３の位置に配置させる（ステップＳ１）。これにより、ユーザは、撮影レンズ１０１を介して入射された被写体の光が接眼レンズ２０４に導かれることにより、ユーザは接眼レンズ２０４を介して被写体を見ることができ、該被写体に重ねてＡＦ枠１１が表示されている状態となる。
【００４５】
次いで、ＣＰＵ２１５は、ユーザによってシャッタボタンが半押しされたか否かを判断する（ステップＳ２）。この判断は、シャッタボタンの半押し操作に対応する操作信号がキー入力部２１６から送られてきた否かにより判断する。
【００４６】
ステップＳ２で、シャッタボタンが半押しされていないと判断すると、ステップＳ２に留まり、シャッタボタンが半押しされたと判断すると、ＣＰＵ２１５は、モニター２２０の駆動を開始（表示をＯｎ）させるとともに、ＡＦ枠を表示させる。（ステップＳ３）。このとき、ＡＦ枠以外の部分を暗めにする。つまり、ＡＦ枠の表示輝度よりＡＦ枠以外の表示輝度を下げることになる。
【００４７】
また、このモニター２２０に表示させるＡＦ枠は、光学ファインダー上に見えるＡＦ枠と同じ位置に表示させる。つまり、仮にＣＣＤ２１１によって画像データが撮像され、該撮像された画像データがモニター２２０に表示された場合に、光学ファインダー上の表示されたＡＦ枠内の被写体と、モニター２２０上に表示されたＡＦ枠内の被写体とが同一になるように、モニター２２０上にＡＦ枠を表示させる。言い換えれば、光学ファインダー上に見えるＡＦ枠１１の位置と、モニター２２０に表示されるＡＦ枠の位置は、撮像される画像データの画角に対して同じ位置である。
【００４８】
なお、ファインダー視野率が１００％の場合は、光学ファインダーから見える画像の画角と、モニター２２０に表示される画像の画角は同一となるので、光学ファインダー上の各ＡＦ枠の位置とモニター２２０上のＡＦ枠の位置は相似となる。
【００４９】
次いで、ＣＰＵ２１５は、ＡＦ処理、ＡＥ処理を行う（ステップＳ４）。ここで、ＡＦ処理は、測距回路２０７によって測定された各ＡＦ枠１１の被写体位置に基づいて、ＡＦ処理を行う。ここで、ＡＦ処理は、最も被写体距離が短いＡＦ枠１１にピントが合うようにＡＦ処理を行うようにしてもよいし、ユーザによって指定されたＡＦ枠１１にピントが合うようにＡＦ処理を行うようにしてもよい。つまり、ＡＦ処理の対象となるＡＦ枠１１の被写体距離に基づいてフォーカスレンズ１０１Ａを移動させる。ここで、ピントが合うようにＡＦ処理したＡＦ枠１１でなくても、被写界深度内にあれば、合焦したＡＦ枠１１とする。
【００５０】
また、ＡＥ処理は、図示しない測光センサによって測定された光の強度に基づいて、露光条件（例えば、絞り値、シャッタ速度、ゲイン等）を算出し、該算出した露光条件に設定する。
【００５１】
次いで、ＣＰＵ２１５は、ＡＦ枠発光駆動部２０９に制御信号を送ることにより、合焦したフォーカシングスクリーン２０２のＡＦ枠１１を発光させる（ステップＳ５）。ここでは、図２（Ｂ）に示すような被写体像が光学ファインダーから見えるものとする。このように、合焦したＡＦ枠１１（合焦領域）を発光させることにより、合焦していないＡＦ枠１１と合焦したＡＦ枠１１を識別することができる。なお、合焦したＡＦ枠１１を識別することができればよいので、他の方法によって識別させてもよい。
【００５２】
次いで、ＣＰＵ２１５は、合焦したＡＦ枠１１に対応するモニター２２０上のＡＦ枠（合焦領域）を識別表示させる（ステップＳ６）。
図４は、モニター２２０上に識別表示されたＡＦ枠１２の様子の一例を示すものである。
ここでは、便宜上、合焦したＡＦ枠１１に対応するモニター２２０上のＡＦ枠１２を、斜線を付することにより識別表示させているが、色やＡＦ枠１２の太さ等によって識別表示させるようにしてもよい。
ここで、図２（Ｂ）と図４とを比較すると、光学ファインダー上に発光されているＡＦ枠１１の位置と、モニター２２０上に識別表示されているＡＦ枠１２は同じ位置であることがわかる。これにより、ユーザは、モニター２２０を見ることにより、どの部分にピントが合っているかを簡単に視認することができる。
なお、このとき、合焦していないＡＦ枠１１に対応するＡＦ枠１２の表示輝度を、合焦したＡＦ枠１１に対応するＡＦ枠１２の表示輝度より小さくするようにしてもよい。この場合は、合焦していないＡＦ枠１１に対応するＡＦ枠１２の表示輝度は、ＡＦ枠１２以外の領域の表示輝度と同じであってもよいし、ＡＦ枠１２以外の領域の表示輝度より高くてもよい。
【００５３】
次いで、ＣＰＵ２１５は、ユーザによってシャッタボタンが全押しされたか否かを判断する（ステップＳ７）。この判断は、シャッタボタンの全押し操作に対応する操作信号がキー入力部２１６から送られてきたか否かにより判断する。
【００５４】
ステップＳ７で、シャッタボタンが全押しされていないと判断すると、全押しされるまでステップＳ７に留まり、シャッタボタンが全押しされたと判断すると、ＣＰＵ２１５は、モニター表示をＯｆｆにする（ステップＳ８）。つまり、モニター２２０の駆動を停止させることにより表示を終了させる。
【００５５】
次いで、ＣＰＵ２１５は、ミラー駆動部２０８に制御信号を送ることにより、ハーフミラー２０１を第２の位置に、反射ミラー２０５を第４の位置に配置させる（ステップＳ９）。これにより、ハーフミラー２０１、反射ミラー２０５は撮影光路外に退避される。
次いで、ＣＰＵ２１５は、静止画撮影を行う（ステップＳ１０）。つまり、ステップＳ４で設定された露光条件（絞り値、シャッタ速度）でＣＣＤ２１１に撮像させ、ステップＳ４で設定されたゲイン値に従ってユニット回路２１４のＡＧＣによって自動利得調整された画像データに対して画像処理を施してバッファメモリ（ＤＲＡＭ２１８）に記憶させる。
次いで、ＣＰＵ２１５は、該撮影された画像データを圧縮して（たとえば、ＪＰＥＧ圧縮して）、フラッシュメモリ２１９に記録させる（ステップＳ１１）。
【００５６】
以上のように、実施の形態においては、光学ファインダー上に合焦したＡＦ枠１１を発光表示させるとともに、モニター２２０に、光学ファインダー上に見えるＡＦ枠１１と同じ位置に表示されたＡＦ枠１２のうち、合焦したＡＦ枠１１に対応するＡＦ枠１２を識別表示させるので、ユーザは光学ファインダーから目を離し、モニター２２０を見ることで簡単にわかりやすく合焦したＡＦ枠を視認することができ、合焦領域のわかりやすさを向上させることができる。
【００５７】
また、光学ファインダーよりもモニター２２０の方が画面が大きいので、モニター２２０を見ることで簡単にわかりやすく合焦したＡＦ枠を視認することができる。
【００５８】
また、シャッタボタンの半押し後にモニター２２０の駆動を開始（表示をＯｎ）させ、また、シャッタボタン全押し後にモニター２２０の駆動を停止（表示をＯｆｆ）にするので、消費電力を抑えることができるとともに、光学ファインダーを覗くときにモニター２２０の表示（明るさ）が邪魔になるというのを極力抑えることができる。
【００５９】
また、モニター２２０には、ＡＦ枠１２以外の領域を、ＡＦ枠１２の明るさより暗くして表示させるので、消費電力を抑えることができるとともに、モニター２２０の画面が眩しくて、光学ファインダー及びモニター２２０が見づらいという弊害を防止することができる。また、ＡＦ枠１２が周りより明るいので、ＡＦ枠が見やすくなる。
【００６０】
［変形例］
Ｃ．上記実施の形態は以下のような変形例も可能である。
【００６１】
（０１）上記実施の形態においては、合焦したＡＦ枠１１に対応するモニター２２０上のＡＦ枠１２を単に識別表示させるようにしたが、ピントの合い度合に応じてＡＦ枠１２の識別表示を変えるようにしてもよい。
ピントの合い度合を示す合焦評価値が高いＡＦ枠１１に対応するＡＦ枠１２ほど、明るく表示させたり、ＡＦ枠１２の色を濃く表示させたりするようにしてもよいし、合焦評価値が高い順に順位付けをしてＡＦ枠１２を表示させるようにしてもよい。たとえば、合焦評価値が一番高いＡＦ枠１１を１番、次に合焦評価値が高いＡＦ枠１１を２番というように、ＡＦ枠１１を順位付けし、該ＡＦ枠１１に対応するモニター２２０上のＡＦ枠１２に該順位を表示させるようにしてもよいし、色を変えることによって順位付けするようにしてもよいし、明るさ、色の濃さ等によって順位付けするようにしてもよい。
この合焦評価値は、ＡＦ処理の対象となったＡＦ枠１１の合焦評価値を一番高くするとともに、該ＡＦ処理の対象となったＡＦ枠１１の被写体距離を基準距離とする。そして、被写体距離が基準距離に近いＡＦ枠１１程、合焦評価値を高くする。
これにより、どこの領域が一番ピントが合っているかを、簡単にわかりやすく認識することができるとともに、どの領域がどのくらいピントが合っているのかをも簡単にわかりやすく認識することができる。
【００６２】
（０２）上記実施の形態においては、シャッタボタン半押し後に、モニター２２０の駆動を開始（表示をＯｎ）するようにしたが、ＡＦ処理完了後にモニター２２０の駆動を開始させるようにしてもよい。これにより、さらに消費電力を抑えることができる。
【００６３】
（０３）上記実施の形態においては、モニター２２０には、合焦したＡＦ枠１１に関わらず、光学ファインダー上に見える複数のＡＦ枠１１に対応するＡＦ枠１２を表示させるようにしたが、合焦したＡＦ枠１１に対応するＡＦ枠１２のみを表示させるようにしてもよい。つまり、合焦してないＡＦ枠１１に対応するＡＦ枠１２は表示させないようにする。
また、光学ファインダー上も合焦したＡＦ枠１１のみ表示させるようにしてもよい。この場合は、フォーカシングスクリーン２０２にＡＦ枠１１を刻印することなく、フォーカスシングスクリーン２０２に備えられた液晶によって合焦したＡＦ枠１１を表示させるようにする。
これにより、簡単にわかりやすく合焦領域を視認することができ、合焦領域のわかりやすさを向上させることができる。
【００６４】
（０４）上記実施の形態において、ＣＣＤ２１１にスルー画像を撮像させ、該撮像されたスルー画像をモニター２２０に表示させるようにしてもよい。つまり、モニター２２０には、スルー画像とＡＦ枠１２が共に表示されることになる。この場合は、光学ファインダー、モニター２２０共に被写体像とＡＦ枠が表示されることになるが、光学ファインダーよりモニター２２０の方が画面が大きいので、モニター２２０を見ることによりピントの合っているＡＦ枠１２を簡単にわかりやすく視認することができる。
この場合は、反射ミラー２０５を備えずに、ハーフミラー２０１を透過した光をそのままＣＣＤ２１１に撮像させ、ＡＦ処理は、ＣＣＤ２１１に撮像された画像データに基づいて行うコントラスト方式を採用する。
【００６５】
（０５）上記実施の形態においては、請求項におけるファインダーを光学ファインダーとして説明したが、光学ファインダーに代えて電子ファンダー、液晶モニターであってもよく、要は被写体像と合焦領域を示す情報を表示できるものであればよい。
電子ファインダーの場合は、ＣＣＤ２１１にスルー画像を表示させ、電子ファインダーにスルー画像とＡＦ枠１１を表示させるとともに、モニター２２０にＡＦ枠１２のみを表示させるようにしてもよいし、電子ファインダー、モニター２２０ともにスルー画像とＡＦ枠を表示させるようにしてもよい。
また同様に、上記実施の形態においては、請求項における表示手段をモニター２２０として説明したが、モニター２２０に代えて光学ファインダー、電子ファインダーであってもよく、要は被写体像を表示させずに合焦領域を示す表示ができるものであればよい。
【００６６】
（０６）上記変形例（０４）、（０５）において、ＣＣＤ２１１にスルー画像を撮像させ、該撮像された画像データに基づいてコントラスト方式によるＡＦ処理を行う場合は、ＡＦ処理の対象となるＡＦ枠１１の画像データの高周波成分が最も高くなるレンズ位置（合焦レンズ位置）にフォーカスレンズ１０１Ａを移動させることにより、ピントを合わせる。
ここで、上記変形例（０１）のように、ピントの合い度合に応じてＡＦ枠１２の識別表示を変えるようにしてもよい。この場合の合焦評価値は、フォーカスレンズ１０１Ａが合焦レンズ位置にあるときの各ＡＦ枠１１の高周波成分に基づいて定められる。つまり、高周波成分が多くなるにつれ合焦評価値が高くなる。
【００６７】
（０７）上記実施の形態においては、モニター２２０にＡＦ枠１２を識別表示させることによりピントの合っている領域を示すようにしたが、ＡＦ枠１２を表示させずに、ピントの合っている領域を他の方法で識別表示するようにしてもよい。たとえば、ピントの合っている領域を塗りつぶして表示させたり、ピントの合った領域の被写体の画像を拡大表示させたり、文章などによってピントの合っている領域を示すようにしてもよい。
また、ファインダーが電子ファインダーの場合も、ＡＦ枠１１を表示させずに、他の方法によって合焦領域を識別表示させるようにしてもよい。
【００６８】
（０８）上記実施の形態においては、ファインダーに被写体像とＡＦ枠１１を表示させ、モニター２２０は、被写体像を表示させずにＡＦ枠１２を表示させるようにしたが、ファインダーとモニター２２０の表示態様を逆にするようにしてもよい。つまり、ファインダーには被写体像を表示させずにＡＦ枠１２を表示させ、モニター２２０に被写体像とＡＦ枠１１を表示させる。この場合は、ハーフミラー２０１を第２の位置、反射ミラー２０５を第４の位置にそれぞれ移動させておく必要がある。
【００６９】
（０９）上記実施の形態においては、図３のステップＳ７で、シャッタボタンが全押しされていないと判断すると、全押しされるまでステップＳ７に留まるようにしたが、ステップＳ７で、シャッタボタンが全押しされていないと判断すると、ステップＳ４に戻るようにしてもよい。つまり、コンティニュアス的にＡＥ、ＡＦ処理を行うとともに、ステップＳ５でのＡＦ枠１１の発光、ステップＳ６でのＡＦ枠１２の識別表示も、コンティニュアス的に行なうようにしてもよい。
【００７０】
（１０）上記実施の形態においては、デジタル一眼レフカメラ１を用いて説明したが、コンパクトデジタルカメラ等のレンズ交換が不可能なデジタルカメラ等であってもよい。
【００７１】
（１１）上記実施の形態は、上記変形例（０１）〜（１０）を任意に組み合わせた態様であってもよい。
【００７２】
（１２）また、本発明の上記実施形態は、何れも最良の実施形態としての単なる例に過ぎず、本発明の原理や構造等をより良く理解することができるようにするために述べられたものであって、添付の特許請求の範囲を限定する趣旨のものでない。
したがって、本発明の上記実施形態に対してなされ得る多種多様な変形ないし修正はすべて本発明の範囲内に含まれるものであり、添付の特許請求の範囲によって保護されるものと解さなければならない。
【００７３】
最後に、上記各実施の形態においては、本発明の撮像装置をデジタル一眼レフカメラ１に適用した場合について説明したが、上記の実施の形態に限定されるものではなく、要は、被写体を撮像することができる機器であれば適用可能である。
【図面の簡単な説明】
【００７４】
【図１】本発明の実施の形態のデジタル一眼レフカメラ１のブロック図である。
【図２】撮影者が接眼レンズ２０４を覗いたときに見える被写体像とＡＦ枠１１の様子の一例を示す図である。
【図３】実施の形態のデジタル一眼レフカメラ１の動作を示すフローチャートである。
【図４】モニター２２０上に識別表示されたＡＦ枠１２の様子の一例を示す図である。
【符号の説明】
【００７５】
１      デジタル一眼レフカメラ
１００      レンズ鏡筒
１０１      撮影レンズ
１０２      レンズ駆動部
１０３      レンズ制御部
１０４      絞り
１０５      絞り駆動部
１０６      絞り制御部
１０７      電気接点ユニット
２００      カメラ本体
２０１      ハーフミラー
２０２      フォーカシングスクリーン
２０３      ペンタプリズム
２０４      接眼レンズ
２０５      反射ミラー
２０６      測距センサ
２０７      測距回路
２０８      ミラー駆動部
２０９      ＡＦ枠発光駆動部
２１０      シャッタ
２１１      ＣＣＤ
２１２      ドライバ
２１３      ＴＧ
２１４      ユニット回路
２１５      ＣＰＵ
２１６      キー入力部
２１７      メモリ
２１８      ＤＲＡＭ
２１９      フラッシュメモリ
２２０      モニター
【図１】
0005333888.tif 000002
【図２】
0005333888.tif 000003
【図３】
0005333888.tif 000004
【図４】
0005333888.tif 000005